(57)【要約】【課題】限られた一つの表示画面内に、より多くのロジック波形を同時にしかも隣接するロジック波形のＨＩとＬＯとが区別しやすいように表示する。【解決手段】ＨＩとＬＯの２値からなるロジック波形を所定の表示部に表示するロジック波形の表示方法において、ロジック波形に対して、表示部の一部分に時間軸方向に沿って幅が一定で凹凸のない直線状の表示ラインＬＮを設定し、表示ラインＬＮ内の内のＨＩに相当する部分とＬＯに相当する部分とを異なる色で表示する。【選択図】図２
2016102663.tif 000002
【特許請求の範囲】
【請求項１】
ＨＩとＬＯの２値からなるロジック波形を所定の表示部に表示するロジック波形の表示方法において、
上記ロジック波形に対して、上記表示部の一部分に時間軸方向に沿って幅が一定で凹凸のない直線状の表示ラインを設定し、上記表示ライン内の上記ＨＩに相当する部分と上記ＬＯに相当する部分とを異なる色で表示することを特徴とするロジック波形の表示方法。
【請求項２】
複数の上記ロジック波形が同時に入力される多チャンネルの表示において、上記表示部に上記各ロジック波形に対して設定される上記表示ラインが隙間なく密接して表示されることを特徴とする請求項１に記載のロジック波形の表示方法。
【請求項３】
複数の上記ロジック波形が同時に入力される多チャンネルの表示において、互いに隣接して表示される２つの表示ラインのうち、一方の表示ライン内のＨＩ部分とＬＯ部分の色の組合せと、他方の表示ライン内のＨＩ部分とＬＯ部分の色の組合せとが異なっていることを特徴とする請求項１または２に記載のロジック波形の表示方法。
【発明の詳細な説明】
【技術分野】
【０００１】
本発明は、ロジック波形の表示方法に関し、さらに詳しく言えば、ロジック波形のＨＩの部分とＬＯの部分とを色分けしてロジック波形を直線状に表示する技術に関するものである。
【背景技術】
【０００２】
ロジック波形は、ＨＩとＬＯ（１と０）の２値からなる信号波形で、図４に、１画面に複数チャンネル、例えば４チャンネルＣＨ１〜ＣＨ４分のロジック波形が同時に表示されている表示例を示す。
【０００３】
ロジック波形は、取り得る値が２値であるため、ＨＩの部分の水平線、ＬＯの部分の水平線およびその前縁、後縁の各エッジ部分の垂直線で描画される。ロジック波形ＣＨ１，ＣＨ２の一部拡大波形を図５に示す。この例において、表示画面は液晶表示パネルであり、横軸が時間、縦軸がレベルである。
【０００４】
これから分かるように、一つのロジック波形に含まれているＨＩ，ＬＯを表すのに縦軸方向に少なくとも２ドットが必要であり、また、多チャンネル表示の場合には、その各々のロジック波形が重ならないように、縦軸方向に隣接するチャンネルＣＨ１とＣＨ２との間にさらに少なくとも１ドット（スペースドット）を必要とする。
【０００５】
このように、一つのチャンネルＣＨあたり、縦軸方向に少なくとも３ドットを必要とする。これに対して、表示画面の縦軸方向のドット数は有限であるため、同時に表示し得るチャンネル数が限られてしまう。
【０００６】
また、図４に示すように、複数のチャンネル波形を同時に表示すると、ＨＩとＬＯの部分の区別が分かりづらくなる、という問題がある。
【０００７】
なお、特許文献１には、ロジック波形の波形判定を視覚的に容易に行えるようにした発明が提案されているが、表示されるロジック波形自体は、図４，図５で説明したところと変わりはない。
【先行技術文献】
【特許文献】
【０００８】
【特許文献１】特開平６−１８５６４号公報
【発明の概要】
【発明が解決しようとする課題】
【０００９】
したがって、本発明の課題は、限られた一つの表示画面内に、より多くのロジック波形を同時に、しかも隣接するロジック波形のＨＩとＬＯとが区別しやすいように表示することにある。
【課題を解決するための手段】
【００１０】
上記課題を解決するため、本発明は、ＨＩとＬＯの２値からなるロジック波形を所定の表示部に表示するロジック波形の表示方法において、上記ロジック波形に対して、上記表示部の一部分に時間軸方向に沿って幅が一定で凹凸のない直線状の表示ラインを設定し、上記表示ライン内の上記ＨＩに相当する部分と上記ＬＯに相当する部分とを異なる色で表示することを特徴としている。
【００１１】
本発明の好ましい態様によると、複数の上記ロジック波形が同時に入力される多チャンネルの表示においては、上記各ロジック波形に対して設定される上記表示ラインが隙間なく密接して表示される。
【００１２】
この場合の多チャンネル表示において、隣接するチャンネルをより明確に識別可能とするため、互いに隣接して表示される２つの表示ラインのうち、一方の表示ライン内のＨＩ部分とＬＯ部分の色の組合せと、他方の表示ライン内のＨＩ部分とＬＯ部分の色の組合せとを異ならせることが好ましい。
【発明の効果】
【００１３】
本発明によれば、ロジック波形に対して、表示部の一部分に時間軸方向に沿って幅が一定で凹凸のない直線状の表示ラインが設定され、上記表示ライン内のＨＩに相当する部分とＬＯに相当する部分とが異なる色で表示されるため、ロジック波形を１本の直線として表示することができる。したがって、限られた一つの表示画面内に、より多くのロジック波形を同時に表示することができ、また、隣接するロジック波形の間にスペースを置くことなく、隣接するロジック波形を密に表示したとしても、それらロジック波形のＨＩとＬＯとを明確に区別することができる。
【図面の簡単な説明】
【００１４】
【図１】本発明によるロジック波形の表示方法を実施するための装置を示す模式図。
【図２】本発明によるロジック波形の表示方法の第１表示例を示す模式図。
【図３】本発明によるロジック波形の表示方法の第２表示例を示す模式図。
【図４】従来の一般的なロジック波形の表示例を示す図。
【図５】従来の一般的なロジック波形の一部を拡大した表示画面図。
【発明を実施するための形態】
【００１５】
次に、図１ないし図３を参照して、本発明の実施形態について説明するが、本発明はこれに限定されるものではない。
【００１６】
本発明を実施するうえで、図１に示すロジック波形の表示装置１が用いられる。この実施形態において、表示装置１は、ロジックプローブＰが接続される入力端子１１と、ＦＰＧＡ（Ｆｉｅｌｄ−Ｐｒｏｇｒａｍｍａｂｌｅ  Ｇａｔｅ  Ａｒｒｙ）１２と、ストレージメモリ１３と、操作部１４と、ＲＯＭ１６およびＲＡＭ１７を有する制御部１５と、表示部１８とを備えている。
【００１７】
この実施形態において、ロジック信号は、ロジックプローブＰにてＨＩの部分とＬＯの部分に分けられた後、入力端子１１からＦＰＧＡ１２に入力される。ＦＰＧＡ１２は、操作部１４より予め設定された操作条件等にしたがってロジック信号をストレージメモリ１３と制御部１５とに適宜振り分ける。
【００１８】
制御部１５は、ＲＯＭ１６に格納されているプログラムにしたがってロジック信号を所定に演算処理しその演算値や、また、判定処理があればその判定結果等をＲＡＭ１７に保存する。また、制御部１５は、表示部１８に演算値や波形表示信号等を表示させる表示信号を出力する。
【００１９】
この実施形態において、表示部１８には、カラーの液晶表示装置（ＬＣＤ）が用いられているが、カラーＣＲＴやカラープリンタが用いられてもよい。
【００２０】
従来の場合、入力端子１１から入力されるロジック波形は、表示部１８の画面上に、例えば図２（ａ）に示すように、ＨＩの部分とＬＯの部分とが異なるレベルとして表示されるが、本発明において、制御部１５は、ロジック波形を表示するにあたって、表示部１８の画面上に、図２（ｂ）に示すように、その時間軸方向（図２において水平方向）に沿って幅が一定で凹凸のない直線状の表示ラインＬＮを表示させる。
【００２１】
すなわち、表示部１８の表示画面の一部分に、水平なロジック波形表示用の表示ラインＬＮを設定し、表示ラインＬＮのうちのロジック波形のＨＩに相当する部分と、表示ラインＬＮのうちのロジック波形のＬＯに相当する部分とを異なる色で表示する。例えば、ＨＩに相当する部分は赤色、ＬＯに相当する部分は青色で表示する。
【００２２】
また、従来の多チャンネル表示として、図３（ａ）に示すように、表示部１８の画面上に、例えば２つのチャンネルＣＨ１，ＣＨ２の各ロジック波形が表示される場合にも、本発明においては、図３（ｂ）に示すように、チャンネルＣＨ１のロジック波形とチャンネルＣＨ２のロジック波形とに、それぞれ、表示ラインＬＮ１，ＬＮ２とを設定し、その各々について、ロジック波形のＨＩに相当する部分とＬＯに相当する部分とを異なる色で表示する。
【００２３】
このように、ロジック波形のＨＩの部分とＬＯの部分とを異なる色で表示するようにしたことにより、多チャンネル表示の場合、図３（ｂ）に示すように、表示ラインＬＮ１，ＬＮ２の間にスペース（ブランク）を置くことなく、表示ラインＬＮ１，ＬＮ２を密接して表示しても、各ロジック波形のＨＩの部分とＬＯの部分とを判別することができる。
【００２４】
また、従来では、一つのロジック波形の表示につき、画面の縦軸（レベル軸）方向で少なくとも３ドットの幅が必要とされていたが、本発明においては、一つのロジック波形の表示につき、少なくとも１ドットの幅があればよく、従来に比べて同じサイズの表示画面に３倍のロジック波形を表示することが可能となる。
【００２５】
なお、ＨＩの部分とＬＯの部分の表示色は、操作部１４により任意に指定することができる。例えば、図３（ｂ）の２チャンネル表示において、上記実施形態では、チャンネルＣＨ１，ＣＨ２ともに、ＨＩ部分を赤色表示、ＬＯ部分を青色表示としているが、例えばチャンネルＣＨ１側のＨＩ部分を緑色表示、ＬＯ部分を黄色表示として、チャンネルＣＨ２とは異なる色の組合せとすれば、互いに隣接して表示、特には密接して表示されるチャンネルＣＨ１，ＣＨ２をより明確に識別することができる。
【００２６】
また、必要に応じて、図２（ａ），図３（ａ）に示す従来の表示態様と、図２（ｂ），図３（ｂ）に示す本発明の表示態様とを併せて表示することもできる。
【符号の説明】
【００２７】
１  表示装置
１１  入力端子
１２  ＦＰＧＡ
１３  ストレージメモリ
１４  操作部
１５  制御部
１８  表示部
Ｐ  ロジックプローブ
【図１】
2016102663.tif 000003
【図２】
2016102663.tif 000004
【図３】
2016102663.tif 000005
【図４】
2016102663.tif 000006
【図５】
2016102663.tif 000007